(57)【要約】【課題】洗面ボウルからの水はねを防止し、洗面化粧台回りを有効に利用して小物類を収納するスペースを確保することができる水はね防止機能付き洗面化粧台を提供する。【解決手段】ボウル部１とこのボウル部１の前側、後側および左側、右側に設けられたカウンター部とからなる洗面ボウルにおいて、前側に設けられた前部カウンター部２を、後側に設けられた後部カウンター部３、左側に設けられた左カウンター部４、右側に設けられた右カウンター部５より低くし、後側および左側、右側に設けられたカウンター部が立ち上げられて水返し面とされた水はね防止機能付き洗面ボウルＡ、およびこの水はね防止機能付き洗面ボウルＡと洗面キャビネットＣとミラーキャビネットＭとからなる水はね防止機能付き洗面化粧台。【選択図】図１
2009011701.tif 000002
【特許請求の範囲】
【請求項１】
ボウル部とこのボウル部の前側、後側および左側、右側に設けられたカウンター部とからなる洗面ボウルにおいて、前側に設けられた前部カウンター部を、後側に設けられた後部カウンター部、左側に設けられた左カウンター部、右側に設けられた右カウンター部より低くし、後側および左側、右側に設けられたカウンター部が立ち上げられて水返し面とされた水はね防止機能付き洗面ボウル。
【請求項２】
上記前側の前部カウンター部を手前に膨出させてなる請求項１に記載の水はね防止機能付き洗面ボウル。
【請求項３】
上記左カウンター部、右カウンター部の外側面に正面視コの字型の凹部を設け、それぞれ左収納部、右収納部とされた請求項１に記載の水はね防止機能付き洗面ボウル。
【請求項４】
ボウル部とこのボウル部の前側、後側および左側、右側に設けられたカウンター部とからなり、上記前側の前部カウンター部を低くし、後側の後部カウンターおよび左カウンター部、右カウンター部が立ち上げられて水返し面とされた水はね防止機能付き洗面ボウルと洗面キャビネットとミラーキャビネットとからなる水はね防止機能付き洗面化粧台。
【請求項５】
上記左カウンター部、右カウンター部の外側面に正面視コの字型の凹部を設け、それぞれ左収納部、右収納部とされた請求項４に記載の水はね防止機能付き洗面化粧台。
【発明の詳細な説明】
【技術分野】
【０００１】
本発明は、洗面化粧台の洗面ボウルの構造に関する。さらに詳しくは、水はね防止機能付き洗面ボウルが設けられた水はね防止機能付き洗面化粧台に関する。
【背景技術】
【０００２】
従来、洗面化粧台の洗面ボウルで洗顔や洗髪をした際、飛散した水が洗面化粧台の周囲の壁面に付着してカビが発生したり、濡れた壁面に付着した塵や埃が染みとなって洗面室の壁面を汚すという問題があった。このような問題を解決するため、洗面ボウルの一側面に取り付けられ、洗面ボウルから外への水の飛散を防止する水はね防止装置は公知である。
【０００３】
例えば、下記特許文献１には、本願図５に示すように、カラン６を備えた洗面ボウルＹの一側面に取り付けられた水はね防止装置Ｘが開示されている。上記水はね防止装置Ｘは、回転可能なヒンジを有する固定具と、上記固定具のヒンジに取り付けられ、上記洗面ボウルから垂直に立ち上げた位置と洗面ボウルに対して水平な位置とに保持できるように起伏自在とした板体と、を具備した水はね防止スクリーン装置から構成されている。
【０００４】
さらに、上記板体は、該板体を洗面ボウルに対して内側に回動させ、水平な位置に保持した状態の上面側に凹部が形成されたものであるとされ、水はね防止スクリーンとして機能するとともに、未使用時には小物物品を載置するトレーＴとしても機能し、スペースの有効利用が可能となるという効果があると記載されている。
【特許文献１】特開平１１−２２５９８９８号公報（第１〜３頁、第１、第２図、第３図）
【発明の開示】
【発明が解決しようとする課題】
【０００５】
しかしながら、上記特許文献１に記載の技術は、その第１、第２図、第３図に示されているように、構成部品の数が多く、その構造も複雑であり、必ずしも洗面化粧台回りの狭いスペースを有効に利用できるものとはいえない。本発明はこのような状況に鑑みて考え出されたものであり、洗面ボウルからの水はねを防止するとともに、洗面化粧台回りを有効に利用して小物類を収納するスペースを確保することができる水はね防止機能付き洗面化粧台を提供することを、その課題とする。
【課題を解決するための手段】
【０００６】
上記課題を解決するために、本発明においては、つぎのような技術的手段を講じている。すなわち、請求項１に記載の発明によれば、ボウル部とこのボウル部の前側、後側および左側、右側に設けられたカウンター部とからなる洗面ボウルにおいて、前側に設けられた前部カウンター部を、後側に設けられた後部カウンター部、左側に設けられた左カウンター部、右側に設けられた右カウンター部より低くし、後側および左側、右側に設けられたカウンター部が立ち上げられて水返し面とされた水はね防止機能付き洗面ボウルが提供される。上記洗面ボウルの材質としてはとくに限定されず、陶器製、合成樹脂製、琺瑯製等、種々の材質のものが使用可能である。
【０００７】
請求項２に記載の水はね防止機能付き洗面ボウルは、請求項１に記載の発明に加えて、上記前側の前部カウンター部が使用者の使い勝手のよいように手前に膨出されて構成される。
【０００８】
請求項３に記載の水はね防止機能付き洗面ボウルは、請求項１に記載の発明に加えて、左カウンター部、右カウンター部の外側面に正面視コの字型の凹部を設け、それぞれ左収納部、右収納部とされる。
【０００９】
請求項４に記載の発明によれば、ボウル部とこのボウル部の前側、後側および左側、右側に設けられたカウンター部とからなり、上記前側の前部カウンター部を低くし、後側の後部カウンターおよび左カウンター部、右カウンター部が立ち上げられて水返し面とされた水はね防止機能付き洗面ボウルと洗面キャビネットとミラーキャビネットとからなる水はね防止機能付き洗面化粧台が提供される。
【００１０】
請求項５に記載の水はね防止機能付き洗面化粧台は、請求項４に記載の発明に加えて、上記、左カウンター部、右カウンター部の外側面に正面視コの字型の凹部を設け、それぞれ左収納部、右収納部とされる。
【発明の効果】
【００１１】
請求項１に記載の発明にかかる水はね防止機能付き洗面ボウルは上記のとおりであり、ボウル部とこのボウル部の前側に設けられた前部カウンター部と、後側および左側、右側とに設けられたカウンター部とからなる洗面ボウルであって上記前部カウンター部を低くし、後側および左側、右側に設けられたカウンター部が立ち上げられて水を返すため、上記後側および左側、右側に設けられたカウンター部のそれぞれの立ち上がり部が水はね部を構成し、洗面、手洗い時等に上記カウンター部全体の上面に水が飛散することを防止する。そして、カウンター部上面全体がドライゾーンとなり、例えば、タオル、セッケンその他洗面、洗顔用の小物類を載置するスペースとして利用できる。
【００１２】
請求項２に記載の水はね防止機能付き洗面ボウルは上記のとおりであり、請求項１の水はね防止機能付き洗面ボウルの有する効果に加え、上記前側の前部カウンター部を使用者の側に膨出させてあるため、上記した水返し面で水が飛散することを防止し、前部カウンター部越しに、ボウル部の深部で使い勝手よく洗髪、洗面等を行うことができる。
【００１３】
請求項３に記載の水はね防止機能付き洗面ボウルは上記のとおりであり、請求項１の水はね防止機能付き洗面ボウルの有する効果に加え、左カウンター部、右カウンター部の外側面に正面視コの字型の凹部を設け、それぞれ左収納部、右収納部とされているため、洗髪、洗面用のシャンプー等の小物類をスペース効率よく収納できる。
【００１４】
請求項４に記載に記載の発明にかかる水はね防止機能付き洗面化粧台は上記のとおりであり、ボウル部とこのボウル部の前側、後側および左側、右側に設けられたカウンター部とからなり、上記前側の前部カウンター部を低くし、後側の後部カウンターおよび左カウンター部、右カウンター部が立ち上げられて水返し面とされた水はね防止機能付き洗面ボウルと洗面キャビネットとミラーキャビネットとからなるため、洗髪、洗面等の際は水をはねることなく、上記カウンター部全体の上面に水が飛散することを防止する。そして、上面全体がドライゾーンとなり、例えば、タオル、セッケンその他洗面、洗顔用の小物類を載置するスペースとして利用することができる。
【００１５】
請求項５に記載の水はね防止機能付き洗面化粧台は、請求項４に記載の水はね防止機能付き洗面化粧台の有する効果に加えて、左カウンター部、右カウンター部の外側面に正面視コの字型の凹部を形成させ、それぞれ左収納部、右収納部としているため、上記ドライゾーンに加えて左収納部、右収納部と収納場所が増し、また意匠性よく構成された水はね防止機能付き洗面化粧台とすることができる。
【発明を実施するための最良の形態】
【００１６】
以下、本発明の実施形態について図面を参照して詳細に説明する。図１は、本発明の第１実施形態にかかる水はね防止機能付き洗面ボウルＡを示す斜視図である。図１に示すように、上記水はね防止機能付き洗面ボウルＡは、ボウル部１とこのボウル部１の前側に設けられた前部カウンター部２、後側に設けられた後部カウンター部３、左側に設けられた左カウンター部４、右側に設けられた右カウンター部５とからなり、後部カウンター部３にはカラン６が設けられている。
【００１７】
図１に示されるように、前部カウンター部２のボウル部１の底面１１からの高さｈは、後部カウンター部３、左カウンター部４、右カウンター部５のそれぞれの高さＨより低くされている。すなわち、後部カウンター部３の立ち上がり部３１、左カウンター部４の立ち上がり部４１、右カウンター部５の立ち上がり部５１はそれぞれ、（Ｈ−ｈ）の高さ分が立ち上げられて水返し面を構成し、洗面、手洗い時等に後部カウンター部３、左カウンター部４、右カウンター部５の上面に水が飛散することを防止する。そして、上面は全体としてドライゾーンとされ、例えば、タオル、セッケンその他洗面、洗顔用の小物類を載置するスペースとして利用できる。
【００１８】
また、図１に示すように、前部カウンター部２は前方に膨出され、使用者は、前部カウンター部２越しに、水はねすることなくボウル部１の深部で洗髪、洗面等を容易にできるようにされている。洗髪、洗面後の排水は排水口１２から排水される。
【００１９】
図２は、本発明の第２実施形態にかかる水はね防止機能付き洗面ボウルＢを示す斜視図である。図３は、上記本発明の第２実施形態にかかる水はね防止機能付き洗面ボウルＢを示す正面図である。図２、図３に示されているように、本実施形態においては、左カウンター部４の外側面と右カウンター部５の外側面とに正面視コの字型の凹部がそれぞれ形成され、左収納部４ａ、右収納部５ａとされている。このように、左収納部４ａ、右収納部５ａを設けることにより、上記ドライゾーンと合わせてかなりの量の小物類を収納できる水はね防止機能付き洗面ボウルＢを提供することができる。
【００２０】
図４は、上記水はね防止機能付き洗面ボウルＢを洗面キャビネットＣに載置し、ミラーキャビネットＭを組み付けて構成された本発明にかかる水はね防止機能付き洗面化粧台を示す斜視図である。図４に示されているように、上記水はね防止機能付き洗面化粧台は、上記ドライゾーンに加えて左収納部４ａ、右収納部５ａと収納場所が増し、また意匠性よく構成されている。なお、上記左収納部４ａ、右収納部５ａ中に棚（図示せず）を設け、さらに収納スペースを増やし、空間を効率的に使用してもよい。あるいは、収納物を見えないようにカバー部を付設してもよい。このように、本発明は設計変更自在であり、特許請求の範囲を逸脱しない限り、いずれも本発明の技術的範囲に属する。
【図面の簡単な説明】
【００２１】
【図１】本発明の第１実施形態にかかる水はね防止機能付き洗面ボウルを示す斜視図である。
【図２】本発明の第２実施形態にかかる水はね防止機能付き洗面ボウルを示す斜視図である。
【図３】本発明の第２実施形態にかかる水はね防止機能付き洗面ボウルを示す正面図である。
【図４】本発明にかかる水はね防止機能付き洗面化粧台を示す斜視図である。
【図５】洗面ボウルから外への水の飛散を防止する公知の水はね防止装置を示す斜視図である。
【符号の説明】
【００２２】
Ａ          第１実施形態にかかる水はね防止機能付き洗面ボウル
Ｂ          第２実施形態にかかる水はね防止機能付き洗面ボウル
Ｃ          洗面キャビネット
Ｍ          ミラーキャビネット
Ｘ          公知の水はね防止装置
Ｙ          公知の洗面ボウル
Ｔ          公知の水はね防止装置におけるトレー
１          ボウル部
１１        底面
１２        排水口
２          前部カウンター部
３          後部カウンター部
３１        立ち上がり部
４          左カウンター部
４１        立ち上がり部
４ａ        左収納部
５          右カウンター部
５１        立ち上がり部
５ａ        右収納部
６          カラン
【図１】
2009011701.tif 000003
【図２】
2009011701.tif 000004
【図３】
2009011701.tif 000005
【図４】
2009011701.tif 000006
【図５】
2009011701.tif 000007